(57)【要約】      （修正有）【課題】ケーブルブッシュ自体に防水機能を持たせることで、別部材による防水処理が不要である携帯無線機を提供すると共に、ブッシュ部とケーブル部の被覆を同材質で一体化することにより、引張り強度の強い構造を提供する。【解決手段】携帯無線機本体とケーブルブッシュ１３とを有する携帯無線機であって、前記ケーブルブッシュはブッシュ部１６とケーブル部１７とは同材質で一体化されると共に、前記ケーブルブッシュの前記携帯無線機本体との当接面１６ｄには突条２３が設けられ、前記ケーブルブッシュを前記携帯無線機本体に取付ける際に、前記突条が前記携帯無線機本体に接触して該携帯無線機本体とケーブルブッシュ間を液密に封止する。【選択図】図３
2011120054.tif 000002
【特許請求の範囲】
【請求項１】
携帯無線機本体とケーブルブッシュとを有する携帯無線機であって、前記ケーブルブッシュはブッシュ部とケーブル部とは同材質で一体化されると共に、前記ケーブルブッシュの前記携帯無線機本体との当接面には突条が設けられ、前記ケーブルブッシュを前記携帯無線機本体に取付ける際に、前記突条が前記携帯無線機本体に接触して該携帯無線機本体とケーブルブッシュ間を液密に封止することを特徴とする携帯無線機。
【発明の詳細な説明】
【技術分野】
【０００１】
本発明は、無線通信を行う携帯無線機、特にケーブルブッシュを有する携帯無線機に関するものである。
【背景技術】
【０００２】
車載無線機等の携帯無線機では、不使用時には携帯用無線機を所要の保持器に装着し、携帯無線機の固定と保護を図っている。
【０００３】
図１２は、従来のケーブルブッシュ１を示している。
【０００４】
該ケーブルブッシュ１は、図示しない携帯無線機本体と接続可能なブッシュ部２と、該ブッシュ部２に挿通された別部材のケーブル部３とで構成されている。前記ブッシュ部２は、ブッシュ部本体２ａと前記ケーブル部３を補強する補強部２ｂからなり、前記ケーブル部３は前記ブッシュ部２を貫通し、突出した部分は接続部４となっており、該接続部４は図示しない携帯無線機本体に形成された開口部より携帯無線機本体内部に挿入可能となっている。又、前記ブッシュ部２の両端部には貫通孔５が穿設され、該貫通孔５に挿通された螺子（図示せず）によって前記ケーブルブッシュ１が携帯無線機本体に固着される様になっている。
【０００５】
前記ケーブルブッシュ１を携帯無線機本体に取付ける際には、前記接続部４を前記携帯無線機本体の開口部に嵌合させ、前記貫通孔５に挿通した螺子により前記ブッシュ部２と前記携帯無線機本体を螺子止めすることで、該携帯無線機本体と前記ケーブルブッシュ１が接続される。
【０００６】
然し乍ら、従来の携帯無線機本体と前記ケーブルブッシュ１との間は防水構造となっておらず、前記携帯無線機本体と前記ケーブルブッシュ１の接続部への水の浸入を防止する為には、接続部にパッキンを設ける、或は防水テープを貼付ける等、別部材による防水処理が必要だった。
【０００７】
又、前記ケーブルブッシュ１は前記ブッシュ部２と前記ケーブル部３とが別部材である為、引張り強度が弱く、該ケーブル部３を引張った際に前記ブッシュ部２からケーブル部３が抜ける虞れがあり、更に引張り強度を強くするには別部材による補強が必要だった。
【先行技術文献】
【特許文献】
【０００８】
【特許文献１】特開２００８−２４５２２８号公報
【特許文献２】特開平７−３０７９７３号公報
【発明の概要】
【発明が解決しようとする課題】
【０００９】
本発明は斯かる実情に鑑み、ケーブルブッシュ自体に防水機能を持たせることで、別部材による防水処理が不要である携帯無線機を提供すると共に、ブッシュ部とケーブル部の被覆を同材質で一体化することにより、引張り強度の強い構造を提供するものである。
【課題を解決するための手段】
【００１０】
本発明は、携帯無線機本体とケーブルブッシュとを有する携帯無線機であって、前記ケーブルブッシュはブッシュ部とケーブル部とは同材質で一体化されると共に、前記ケーブルブッシュの前記携帯無線機本体との当接面には突条が設けられ、前記ケーブルブッシュを前記携帯無線機本体に取付ける際に、前記突条が前記携帯無線機本体に接触して該携帯無線機本体とケーブルブッシュ間を液密に封止する携帯無線機に係るものである。
【発明の効果】
【００１１】
本発明によれば、携帯無線機本体とケーブルブッシュとを有する携帯無線機であって、前記ケーブルブッシュはブッシュ部とケーブル部とは同材質で一体化されると共に、前記ケーブルブッシュの前記携帯無線機本体との当接面には突条が設けられ、前記ケーブルブッシュを前記携帯無線機本体に取付ける際に、前記突条が前記携帯無線機本体に接触して該携帯無線機本体とケーブルブッシュ間を液密に封止するので、前記携帯無線機本体と前記ケーブルブッシュの間から前記携帯無線機本体の内部に水が浸入するのを防止することができ、別途防水処理を施す必要がないという優れた効果を発揮する。
【図面の簡単な説明】
【００１２】
【図１】本発明の第１の実施例に於ける携帯無線機の斜視図である。
【図２】本発明の第１の実施例に於ける携帯無線機の斜視図である。
【図３】本発明の第１の実施例に於けるケーブルブッシュの斜視図である。
【図４】本発明の第１の実施例に於ける携帯無線機の要部拡大断面図である。
【図５】本発明の第１の実施例に於ける携帯無線機の要部拡大断面図である。
【図６】本発明の第１の実施例に於ける防水部の変形例を示す携帯無線機の要部拡大断面図である。
【図７】本発明の第１の実施例に於ける防水部の変形例を示すケーブルブッシュの斜視図である。
【図８】本発明の第１の実施例に於ける防水部の変形例を示すケーブルブッシュの斜視図である。
【図９】本発明の第２の実施例に於けるケーブルブッシュの斜視図である。
【図１０】本発明の第２の実施例に於ける携帯無線機の要部拡大断面図である。
【図１１】本発明の第１の実施例と第２の実施例を組合わせた携帯無線機の要部拡大断面図である。
【図１２】従来のケーブルブッシュの斜視図である。
【発明を実施するための形態】
【００１３】
以下、図面を参照しつつ本発明の実施例を説明する。
【００１４】
先ず、図１〜図５に於いて、本発明の第１の実施例について説明する。
【００１５】
本実施例に於ける携帯無線機１１は、携帯無線機本体１２とケーブルブッシュ１３から構成されている。
【００１６】
前記携帯無線機本体１２の下端（図示では右端）には前記ケーブルブッシュ１３と接続される被当接面１２ａが形成され、該被当接面１２ａには開口形状が長方形の開口部１４が形成され、該開口部１４の縁の両端に隣接して螺子孔１５が穿設されている。
【００１７】
前記ケーブルブッシュ１３はブッシュ部１６とケーブル部１７から構成され、該ケーブル部１７は前記ブッシュ部本体１６ａの中央を貫通し、貫通箇所は該ブッシュ部本体１６ａと一体成型された補強部１６ｂによって補強されている。又、前記ケーブル部１７はケーブルを被覆しており、前記ブッシュ部１６と前記ケーブル部１７はそれぞれ同一材質、例えばポリウレタン、塩化ビニル等の弾性のある材質で形成され、一体化されている。
【００１８】
前記ブッシュ部本体１６ａの両端部には、前記螺子孔１５と対応した位置にそれぞれ貫通孔１８が穿設され、該貫通孔１８を通して前記螺子孔１５に螺子１９を螺合させることで前記ケーブルブッシュ１３を前記携帯無線機本体１２に固着可能である。前記ブッシュ部本体１６ａの前記被当接面１２ａの反対面には凹部１６ｃが形成され、螺子止めした際に螺子１９の頭が突出しない様になっている。
【００１９】
又、前記ケーブル部１７の貫通方向とは反対側の面、即ち前記被当接面１２ａに当接する当接面１６ｄには前記ブッシュ部本体１６ａを貫通したケーブル及び図示しないコネクタ等からなる接続部２１が形成され、該接続部２１の外形寸法は前記開口部１４の外形寸法よりも小さくなっている。
【００２０】
又、前記当接面１６ｄには、直方体形状の防水部２２が前記ブッシュ部本体１６ａと一体成型により突設されており、前記ケーブル部１７は前記防水部２２の中心部を貫通している。
【００２１】
前記防水部２２は適宜な弾性を有する材質により形成され、外形寸法は前記開口部１４の開口寸法よりも僅かに小さくなっている。又、前記防水部２２の周面には、ひだ状の突条２３が複数（図示では２つ）形成され、該突条２３の外形形状は前記開口部１４の開口寸法と相似の長方形であり、外形寸法は前記開口部１４の開口寸法よりも大きくなっている。又、前記突条２３の断面形状は、三角形、半円形等弾性変形し易い形状となっている。
【００２２】
尚、図中では前記突条２３の先端部が前記開口部１４の内周面を突抜けているが、実際には前記突条２３の先端部は圧縮され、前記開口部１４の内周面に密着している。
【００２３】
前記ケーブルブッシュ１３を前記携帯無線機本体１２に取付ける際には、前記接続部２１を前記開口部１４に挿入し、前記接続部２１根本部分の前記防水部２２を前記開口部１４に嵌合させた後、螺子１９を前記貫通孔１８に挿通させ、前記螺子孔１５に螺合させる。
【００２４】
この時、前記突条２３の外形寸法は、前記開口部１４の開口寸法よりも大きいことから、前記突条２３が前記開口部１４の内周面によって圧縮されるので、該開口部１４が液密に封止され、前記携帯無線機本体１２の被当接面１２ａと前記ケーブルブッシュ１３の当接面１６ｄの間から前記携帯無線機本体１２の内部に水が浸入するのを防止することができる。
【００２５】
尚、前記防水部２２による防水構造は、前記開口部１４内周面で圧縮された前記突条２３が、反発力により前記開口部１４内周面に密着することで機能するものであるので、該突条２３の前記開口部１４内周面との密着部位は、断面が三角形形状や半円形状、或はその他の形状であってもよく、又、図６に示される様に前記突条２３は各突条毎にそれぞれ異なった形状、異なった大きさであってもよい。
【００２６】
又、前記開口部１４の開口形状が円形であれば、図７に示される様に、前記防水部２２の外形形状を円形とすることで、前記防水部２２の形状が直方体であった場合と同様に実施可能である。尚、前記開口部１４の開口形状が長方形や円形以外の形状、例えば楕円形状や三角形形状であった場合でも、前記防水部２２の外形形状を楕円形状或は三角形形状とすることで本実施例に適用可能であることは言う迄もない。
【００２７】
又、図８に示される様に、前記防水部２２の周面に形成する前記突条２３の数を増加させることで、該突条２３と前記開口部１４内周面の密着部位が増加し、前記防水部２２の防水効果をより向上させることができる。
【００２８】
更に、第１の実施例に於いて、該突条２３の外形寸法を前記開口部１４の開口寸法に比較して大きくする程、前記突条２３の前記開口部１４内周面に対する反発力が大きくなるので、前記突条２３と前記開口部１４内周面との接触圧力が増加し、より防水効果を高めることができる。
【００２９】
又、前記ブッシュ部１６に穿設された前記貫通孔１８に金属製で円筒形状のブッシュを圧入し、更に前記携帯無線機本体１２の前記螺子孔１５に金属製のナット等を埋設することで、螺子部の強度が増大され、前記ブッシュ部１６の樹脂が熱により変形した場合であっても前記貫通孔１８から水が浸入することがない。
【００３０】
更に、前記ブッシュ部１６と前記ケーブル部１７を同材質とし、前記ブッシュ部１６と前記ケーブル部１７を一体化したので、該ケーブル部１７の引張り強度が増加し、該ケーブル部１７を引張った場合であっても、該ケーブル部１７が前記ブッシュ部１６から引抜かれることがない。
【００３１】
次に、図９、図１０に於いて、本発明の第２の実施例について説明する。尚、図９、図１０中、図１〜図５中と同等のものには同符号を付し、その説明を省略する。
【００３２】
第２の実施例は、第１の実施例に於ける防水部２２の代りに、当接面１６ｄに設けられた気密部である防水リング２４を用いて防水を行うものである。
【００３３】
該防水リング２４は適宜な弾性を有する材質でブッシュ部本体１６ａに固着された環状の突条であり、或は前記ブッシュ部１６と一体成型された環状の部材であり、接続部２１が前記防水リング２４の中心に位置する様になっている。
【００３４】
又、開口部１４の開口寸法は、前記防水リング２４の内周円よりも小さくなっている。尚、前記開口部１４の開口寸法は、前記防水リング２４断面の内周円よりも小さければよく、円形や楕円形等であってもよい。
【００３５】
ケーブルブッシュ１３を前記携帯無線機本体１２に取付ける際には、前記接続部２１を前記開口部１４内に挿入し、前記防水リング２４を前記携帯無線機本体１２の被当接面１２ａに押付けた状態で、螺子１９を前記貫通孔１８に挿通させ、前記螺子孔１５（図１参照）に螺合させ、前記ブッシュ部本体１６ａを前記携帯無線機本体１２に固着する。
【００３６】
この時前記防水リング２４は前記携帯無線機本体１２の前記被当接面１２ａと、前記ケーブルブッシュ１３の当接面１６ｄとで押圧されて変形し、前記開口部１４を液密に封止するので、前記被当接面１２ａと前記当接面１６ｄの間から前記開口部１４内に水が浸入することがない。
【００３７】
尚、図１１に示される様に、第１の実施例と第２の実施例を組合わせ、前記接続部２１の根本部に防水部２２を設け、更に該防水部２２の周に前記防水リング（又は突条）２４を設けることで、前記携帯無線機本体１２と前記ケーブルブッシュ１３間の防水効果が更に高まることは言う迄もない。
【００３８】
上述した様に、本発明では、前記ケーブルブッシュ１３の前記当接面１６ｄに前記防水部２２及び前記防水リング２４を設け、前記突条２３や前記防水リング２４を前記携帯無線機本体１２に接触させることで該携帯無線機本体１２内への水の浸入を防止するので、別途前記被当接面１２ａと前記当接面１６ｄの間を防水テープで封止する等の防水処理を施す必要がなく、組立て作業量を軽減させることができる。
【００３９】
（付記）
又、本発明は以下の実施の態様を含む。
【００４０】
（付記１）携帯無線機本体とケーブルブッシュとを有する携帯無線機であって、前記ケーブルブッシュはブッシュ部とケーブル部とは同材質で一体化されると共に、前記ケーブルブッシュの前記携帯無線機本体との当接面には突条が設けられ、前記ケーブルブッシュを前記携帯無線機本体に取付ける際に、前記突条が前記携帯無線機本体に接触して該携帯無線機本体とケーブルブッシュ間を液密に封止することを特徴とする携帯無線機。
【００４１】
（付記２）前記ブッシュ部に貫通孔を穿設し、該貫通孔を介して前記ケーブルブッシュを前記携帯無線機本体に螺子止め可能とした付記１の携帯無線機。
【００４２】
（付記３）前記突条の向きは前記当接面と平行である付記１の携帯無線機。
【００４３】
（付記４）前記当接面に、該当接面と垂直方向に環状の突条が設けられ、該環状の突条が設けられる位置は前記突条よりも外側である付記３の携帯無線機。
【符号の説明】
【００４４】
１１            携帯無線機
１２            携帯無線機本体
１３            ケーブルブッシュ
１６            ブッシュ部
１７            ケーブル部
２１            接続部
２２            防水部
２３            突条
２４            防水リング
【図１】
2011120054.tif 000003
【図２】
2011120054.tif 000004
【図３】
2011120054.tif 000005
【図４】
2011120054.tif 000006
【図５】
2011120054.tif 000007
【図６】
2011120054.tif 000008
【図７】
2011120054.tif 000009
【図８】
2011120054.tif 000010
【図９】
2011120054.tif 000011
【図１０】
2011120054.tif 000012
【図１１】
2011120054.tif 000013
【図１２】
2011120054.tif 000014